(57)【特許請求の範囲】
【請求項１】
走行路に沿って移動可能な少なくとも１つの可動部（１）のための吊り下げ装置であって、少なくとも２つのスライディングキャリッジ（２）を有しており、これらのスライディングキャリッジ（２）に、少なくとも１つの前記可動部（１）が定置に取り付けられており、
各スライディングキャリッジ（２）に複数のローラ（７）が、自由に回転可能に配置されていて、この場合、前記ローラ（７）の回転軸線が前記走行路に対して直交する横方向に、かつ少なくとも１つの前記可動部（１）の垂直延在方向に対して直交する横方向に延在していて、前記ローラ（７）が吊り下げ装置の走行レール（８）の走行面（９）上を転動するようになっており、
前記走行レール（８）が、少なくとも１つの前記可動部（１）の走行路の少なくとも一部に沿って延在するように構成されており、
前記走行レール（８）の走行面（９）が、少なくとも１つの前記可動部（１）の垂直延在方向に対して平行に、かつ前記可動部（１）から離反する方向に向くように構成されており、
少なくとも１つの前記可動部（１）の少なくともスライディングキャリッジ（２）が、それぞれ１つの緊締ホルダを有しており、該緊締ホルダ内に、少なくとも１つの可動部（１）が定置に受容されており、
それぞれ１つの緊締ホルダを備えた各スライディングキャリッジ（２）が、前記各可動部（１）の走行路の方向で見て、前記各可動部（１）に向かって開放するＵ字形の横断面を有するＵ字形成形材として構成されており、
前記緊締ホルダがさらに緊締顎（５）を有していて、該緊締顎（５）が調節装置によって、前記緊締顎（５）に所属する前記可動部（１）に向かう方向に、かつ該可動部（１）から離反する方向に可動であり、
前記調節装置がねじ（４）を有していて、該ねじ（４）が、該ねじ（４）のねじ頭とは反対側を向いた端部で以て、それぞれの緊締顎（５）に支えられていて、前記Ｕ字形成形材の一方の脚部の雌ねじ山区分にねじ込まれており、前記脚部が、前記可動部（１）の、前記緊締顎（５）が配置された側に配置されており、
前記可動部（１）がそれぞれ前記緊締顎（５）と前記スライディングキャリッジ（２）の他方の脚部との間に緊締されており、
前記Ｕ字形成形材の脚部が、該脚部の自由端部から前記可動部（１）に向かって延在する突起部（２２）を有しており、前記ねじ（４）が前記突起部（２２）の雌ねじ山区分内にねじ込まれ、さらに当接部（２１）内にねじ込まれており、該当接部（２１）が前記可動部（１）に向いた側に傾斜面を有していて、該傾斜面は、前記当接部（２１）がねじ（４）のねじ頭に向かって先細りするように、前記ねじ（４）のねじ頭に向かって傾斜して構成されており、前記緊締顎（５）が、前記当接部（２１）に向いた側に、前記当接部（２１）の前記傾斜面に対して相補的に構成された傾斜面を有しており、該傾斜面で以て前記緊締顎（５）は、前記当接部（２１）の傾斜面に当接するようになっており、当接部（２１）内への前記ねじ（４）のねじ込み時に、当接部（２１）が、前記ねじ（４）のねじ頭に向かって移動させられるようになっていることを特徴とする、吊り下げ装置。
【請求項２】
少なくとも１つの可動部（１）の少なくとも２つのスライディングキャリッジ（２）が、前記各ローラ（７）の垂直な中心線がそれぞれ前記可動部（１）の垂直な中心線と合致するように構成されている、請求項１記載の吊り下げ装置。
【請求項３】
床ガイドが設けられており、該床ガイドが床レール（１５）を有していて、該床レール（１５）内に、少なくとも１つの前記可動部（１）の下側区分がガイドされ支承され、かつ受容されている、請求項１又は２記載の吊り下げ装置。
【請求項４】
前記床ガイドがスライディングキャリッジ（２’）を有しており、該スライディングキャリッジ（２’）に少なくとも１つのガイドローラ（１４）が自由に回転可能に配置されており、該ガイドローラ（１４）が前記床レール（１５）の一方の内側面で転動するように配置されている、請求項３記載の吊り下げ装置。
【請求項５】
少なくとも１つのガイドローラ（１４）の回転軸線が、少なくとも１つの前記可動部（１）の垂直延在方向に対して平行に延在している、請求項４記載の吊り下げ装置。
【請求項６】
少なくとも２つのガイドローラ（１４）が設けられており、該ガイドローラ（１４）が、前記床レール（１５）の、互いに向き合う内側面で転動するように配置されている、請求項５記載の吊り下げ装置。
【請求項７】
前記走行レール（８）の走行面（９）が非扁平に構成されていて、前記走行面（９）上を転動するローラ（７）が、前記走行面（９）の非扁平な形状に対して相補的に構成された走行面を有している、請求項１から６までのいずれか１項記載の吊り下げ装置。
【請求項８】
当接区分（１０）を有しており、該当接区分（１０）が、前記走行レール（８）に対して平行に延在し、かつ前記走行レール（８）上を転動するローラ（７）が上部区分で以て、それぞれの所属のスライディングキャリッジ（２）に向いた側の面において前記当接区分（１０）に支えられているように構成されている、請求項１から７までのいずれか１項記載の吊り下げ装置。
【請求項９】
前記ねじ（４）は、前記突起部（２２）の外側から、前記突起部（２２）の、垂直方向に延在する貫通開口を通って、前記当接部（２１）に形成された雌ねじ山にねじ込まれている、請求項１から８までのいずれか１項記載の吊り下げ装置。
【請求項１０】
前記当接部（２１）の前記傾斜面は、前記当接部（２１）が前記ねじ（４）のねじ頭に向かって先細りするように、前記ねじ（４）のねじ頭に向かって傾斜されて構成されている、請求項９記載の吊り下げ装置。
【請求項１１】
前記緊締顎（５）の前記傾斜面は、前記緊締顎（５）が前記ねじ（４）のねじ頭に向かって先細りするように、前記ねじ（４）のねじ頭に向かって傾斜されて構成されている、請求項９又は１０記載の吊り下げ装置。
【請求項１２】
リニア駆動装置を有している、請求項１から１１までのいずれか１項記載の吊り下げ装置。
【請求項１３】
少なくとも１つの前記可動部（１）が、引き戸（１）、円形引き戸、アーチ状引き戸、アコーディオンドア又はメリーゴーラウンド型引き戸である、請求項１から１２までのいずれか１項記載の吊り下げ装置。
【発明の詳細な説明】
【技術分野】
【０００１】
本発明は、特に総ガラス引き戸のための引き戸吊り下げ装置に関する。
【０００２】
ローラ及び／又は磁気支持装置による引き戸吊り下げ装置は公知である。
【０００３】
ローラによる引き戸吊り下げ装置においては、それぞれ１つの引き戸が一般的に２つのスライディングキャリッジに吊り下げられており、これらのスライディングキャリッジの、水平な引き戸の走行方向で見て側方のローラが自由に回転可能に配置されている。スライディングキャリッジに配置された少なくとも２つの互いに向き合うローラは、同じ垂直方向を向いた、ガイドレールの走行面上を転動する。つまり２つのローラは、それぞれ１つの下側のガイドレール又はそれぞれ１つの上側のガイドレール上を転動する。
【０００４】
このような引き戸はその組み立てが困難であるという欠点がある。スライディングキャリッジは、一方の端面側からガイドレール上若しくはガイドレール内に挿入する必要がある。次いで引き戸をスライディングキャリッジに固定しなければならない。従って、引き戸を釣り下げ位置にもたらし、しかもガイドレールに組み付けられるまで引き戸を保持しておく必要がある。これによって組み立てが面倒になり、特に総ガラス引き戸において損傷が発生する危険性がある。
【０００５】
その他の欠点は、多数のガイドレール及びローラが必要とされるという点にある。これによって、摩擦抵抗は高くなり、ひいてはこのような形式で釣り下げられた引き戸を走行させるために大きい力を加える必要がある。これは、特に自動式の引き戸装置においてエネルギ効率の観点で見て重要である。
【０００６】
従来では、純粋に電磁式の引き戸釣り下げ装置において、組み立てが簡単で、最小限の摩擦抵抗を有するようなローラは提供されていなかった。勿論、このような純粋に電磁式の引き戸釣り下げ装置は非常に非実用的である。引き戸をどのような状態においても理想的な位置で保持することは、殆ど不可能である。特にこのような引き戸の始動時において、それぞれの引き戸の走行方向に対して直交する横方向の力が発生する。この横方向の力には、引き戸において揺れ運動を生ぜしめる引き戸の慣性に基づく力、並びに引き戸の側面に所定の角度例えば直角に作用する風力も属している。このような力を補償することは非常に困難である。
【０００７】
さらに、上記のような引き戸釣り下げ装置を組み合わせた引き戸釣り下げ装置も公知である。この公知の引き戸釣り下げ装置は、引き戸のための電磁支持システムを有している。つまり、引き戸は、前記のような純粋に電磁式の引き戸釣り下げ装置におけるように磁力によって釣り下げられている。もちろん、それぞれの引き戸は一般的に２つのスライディングキャリッジを備えており、これらのスライディングキャリッジの、水平な走行方向で見て側方に、ローラが自由に回転可能に配置されている。この場合、それぞれのスライディングキャリッジのローラは、それぞれ１つの上方のガイドレール上を転動する。これによって、スライディングキャリッジ若しくは引き戸と一般的に使用されている磁石との間に所定の間隔が維持されるので、引き戸は常に確実に走行できるようになっている。またこれによって、引き戸に作用する上記横方向力は補償される。勿論、このような形式の引き戸釣り下げ装置は、磁石とスライディングキャリッジ若しくは引き戸との間の磁気的な引張力が、スライディングキャリッジを含んだ引き戸の質量よりも少なくともやや大きい、という欠点がある。
【０００８】
そこで本発明の課題は、従来技術による以上のような欠点が少なくとも低減されるような、引き戸釣り下げ装置を提供することである。
【０００９】
この課題は本発明によれば、請求項１に記載した特徴によって解決された。従属請求項には有利な実施態様が記載されている。
【００１０】
走行路に沿って移動可能な少なくとも１つの移動部用の本発明による釣り下げ装置は、少なくとも１つの前記移動部分のための少なくとも２つのスライディングキャリッジを有している。少なくとも１つの移動部分は、引き戸、円形引き戸（Kreisscheibetuerfluegel）、メリーゴーラウンド型引き戸又はこれと類似のものであってよい。少なくとも２つのスライディングキャリッジは、この可動部の上部区分に定置に取り付けられている。しかも、これら２つのスライディングキャリッジは、走行路に対してほぼ直交する方向に、この移動部の垂直方向に対して平行に延在して配置されている。各スライディングキャリッジにはローラが自由に回転可能に配置されていて、この場合、ローラの回転軸線が、走行路に対して直交する横方向に延在し、かつ前記移動部の垂直方向に対して直交する横方向に延在している。ローラは、釣り下げ装置のガイドレールの走行面上に転動するように配置されている。ガイドレールは、前記移動部の走行路の少なくとも一部に沿って延在し、またガイドレールの走行面は、前記移動部の垂直延在方向に対して平行な方向で、しかもこの移動部から離反する向きに面して配置されている。つまり、走行面は、垂直上方に向いているので、ローラは、これらのローラの下に配置されたガイドレール上を転動するようになっている。
【００１１】
このような構成によれば１つのガイドレールだけが設けられている。このことは、ローラが、可動部の走行方向で見て、各スライディングキャリッジの一方側に配置されている、ということである。従って、スライディングキャリッジの反対側に配置されたローラ並びにこれに所属するガイドローラは省かれ、ひいては、コストの節約、並びにローラに基づく摩擦抵抗の減少が得られる。スライディングキャリッジをガイドレールの一方の端面側から挿入して、次いで可動部に固定するという面倒な作業の代わりに、スライディングキャリッジを一方のガイドレールに載せる前に可動部に固定することができる。スライディングキャリッジの取付け後に、少なくとも１つの可動部を、前方から、つまり可動部の走行方向に対して直交する横方向で見て前方から釣り下げることができる。
【００１２】
有利な形式で、各可動部の少なくとも２つのスライディングキャリッジは、この可動部と、該可動部のスライディングキャリッジのローラとが、前記可動部の垂直延在方向に対して平行な方向で見て、合致するように配置されている。つまりローラと、これらのローラに所属する可動部とは、互いに側方間隔を保つことなしに、走行方向で見て上下に配置されている。これによって、可動部はローラの領域内で、可動部を釣り下げ状態において傾倒させるトルクを生ぜしめることはない。これによって、可動部の傾倒を阻止するために、非常に簡単で安価な手段を必要としないか、又はこのような手段を必要とすることがない。
【００１３】
有利な形式で各可動部は下側区分で以て、床レール内にガイドされ支承され、かつ受容されている。これによって、各可動部の傾倒を特に簡単に阻止する可能性が提供される。
【００１４】
ガイドレールの走行面は、有利な形式で横断面が非扁平に、つまり凹凸を有して構成されている。このような非扁平な走行面上を転動するローラは、この非扁平な走行面に対して相補的に構成された走行面を有している。これによって、ローラの脱線は避けられる。可動部の自重、及び横断面が非扁平な走行面に基づいて、ローラがガイドレールから離れる方向に移動することは阻止される。
【００１５】
ガイドレールはさらに有利には当接区分を有している。当接区分は、少なくとも１つのガイドレールに対して平行に延在している。しかも、ガイドレール上を転動するローラは、それぞれ所属のスライディングキャリッジに向いた側の面に設けられた上部区分で以て、前記当接区分に支えられている。これによって、ローラの傾倒を阻止する手段が得られる。また、前記当接区分はガイド機能を有している。
【００１６】
有利な形式で、可動部のスライディングキャリッジはそれぞれ１つの緊締ホルダを有しており、該緊締ホルダ内に少なくとも１つの可動部が定置に受容されている。つまり可動部は、緊締ホルダによって釣り下げられエチル。これによって、スライディングキャリッジを固定するために、可動部自体を加工する必要はないか、又はスライディングキャリッジを固定するための手段を可動部に設ける必要はない。これは、特に総ガラス製の引き戸において特に有利である。例えば引き戸装置において、総ガラス製の引き戸を一体的に製造することができ、この場合、例えば製造時に保持するための貫通開口を考慮するか、又は後から何らかの費用をかけて貫通開口を引き戸に設ける必要はない。これによって、製造コストは節約される。別の利点は、このような無傷である引き戸は、いつでも交換することができるか、又は他に利用することができる、という点にある。
【００１７】
緊締ホルダは、有利な形式で横断面Ｕ字形に構成されており、この場合、Ｕ字形横断面のＵ字は可動部に向かって開放している。緊締ホルダはさらに、それぞれ１つの緊締顎を有しており、該緊締顎は調節装置によって所属の可動部に対して緊締係合可能、また可動部から解除可能に配置されている。つまり緊締顎は可動部を規定する。このような配置構造は非常に簡単である。
【００１８】
前記調節装置は、有利な形式でねじを有しており、該ねじによって前記緊締顎が前記可動部に向かって、及び可動部から離反する方向に可動である。このような装置によって、調節装置の部分（つまりねじ、緊締顎）を簡単に交換することができる。
【００１９】
有利な形式で、前記ねじは、該ねじのねじ頭とは反対側を向いた端部で以て、それぞれの緊締顎に支えられている。前記ねじは、前記Ｕ字形成形材の脚部の雌ねじ山区分にねじ込まれている。この場合、緊締顎は、前記脚部と前記可動部との間に配置されている。
【００２０】
前記Ｕ字形成形材の脚部は、前記脚部の自由端部から前記可動部に向かって延在する突起部を有している。この場合、ねじは有利な形式で前記突起部に形成された貫通開口を通って前記当接部にねじ込まれている。該当接部は、前記可動部に向いた側に傾斜面を有している。この傾斜面は、当接部がねじ頭に向かって次第に先細りするように、ねじのねじ頭に向かって傾斜して構成されている。緊締顎は、前記当接部に向いた側に、該当接部の傾斜面に対して相補的に構成された傾斜面を有している。この傾斜面によって、当接部は緊締顎に当接する。この傾斜面は、緊締顎を可動部から解除するために必要な力を高める。これによって、可動部を確実に緊締することができる。
【００２１】
選択的に、緊締顎の傾斜面を、前記緊締顎が前記ねじのねじ頭に向かって先細りするように、前記ねじのねじ頭に向かって傾斜するように構成してもよい。
【００２２】
本発明のその他の特徴及び利点は、以下の有利な実施例に記載されている。
【図面の簡単な説明】
【００２３】
【図１】本発明の第１実施例による吊り下げ装置の一部破断した概略的な側面図である。
【図２】本発明の第２実施例による吊り下げ装置の一部破断した概略的な側面図である。
【図３】本発明の第３実施例による吊り下げ装置の一部破断した概略的な側面図である。
【図４】本発明の第４実施例による吊り下げ装置の一部破断した概略的な側面図である。
【図５】本発明の第５実施例による吊り下げ装置の分解図である。
【図６】本発明の第６実施例による吊り下げ装置の一部破断した概略的な側面図である。
【図７】本発明の第７実施例による吊り下げ装置の一部破断した概略的な側面図である。
【図８】図８Ａは、本発明の第８実施例による吊り下げ装置の一部破断した概略的な側面図、図８Ｂは、図８Ａの緊締顎５、ばね部材１３並びにスライディングキャリッジ２を示す概略的な分解図、図８Ｃは、緊締顎５及びばね部材１３を示す概略的な斜視図である。
【００２４】
図１に示した本発明の第１実施例による吊り下げ装置は、走行経路に沿って移動可能な部分を有しており、この移動可能な部分は、引き戸１として構成されている。引き戸１は、有利な形式で２つのスライディングキャリッジ２に取り付けられている。各スライディングキャリッジ２には、引き戸１の走行方向で見て、つまり図１の±ｘ座標方向で見て、図１で左側に少なくとも１つのローラ７が自由に回転可能に配置されている。
【００２５】
ローラ７は、下方つまりｙ座標方向に向いたローラ７の区分で以て、ガイドレール８のスライディングキャリッジ２上を転動するように、配置されている。走行面９は、上方つまり図１のｙ座標方向に向けられている。これによって、ガイドレール８は、このガイドレール８に沿ってガイドされたすべての引き戸１の質量及びスライディングキャリッジ２の質量を受けるようになっている。
【００２６】
ガイドレール８は別個に構成されていて、支持成形材３に組み込まれているか、又は図１に示されているように支持成形材３と一体的に構成されていてもよい。
【００２７】
引き戸１は、有利な形式で緊締によってそれぞれのスライディングキャリッジ２に固定されている。このために、各スライディングキャリッジ２は、少なくとも引き戸１を受容する領域内で、下方につまり図１のｙ座標方向に向かって開放するＵ字形の形に構成されている。このＵ字形によって、緊締ホルダの部分のための、及び各引き戸１の、緊締しようとする上部区分のための受容室が得られる。
【００２８】
緊締ホルダは主に緊締顎５を有しており、この緊締顎５は、有利な形式で調節ねじ４によってそれぞれの引き戸１に緊締せしめられ、引き戸１から離れる方向の運動によって引き戸１から再び解除されるようになっている。
【００２９】
有利な形式でねじ４は、スライディングキャリッジ２を基準にして外部から、スライディングキャリッジ２の一方の脚部に形成された雌ねじ山にねじ込まれている。ねじ４のねじ頭とは反対側の端部で以て、ねじ４は緊締顎５に支えられている。ねじ４を回転若しくは回動させると、ねじ４の、ねじ頭とは反対側の端部及びひいては緊締顎５は、引き戸１に向かって、若しくは引き戸１から並進運動（平行移動運動）で離れる方向に移動せしめられる。
【００３０】
緊締時に、緊締顎５は引き戸１を、スライディングキャリッジ２の一方の脚部に向き合う他方の脚部の内側面に向かって押し付ける。他方の脚部は、引き戸１の、緊締顎５とは反対側に配置されている。有利には、スライディングキャリッジ２の前記脚部並びに緊締顎５の、引き戸１との接触若しくは緊締領域に、緊締ライニング６が設けられている。これによって、各スライディングキャリッジ２及び所属の緊締顎５を比較的堅い材料より構成し、これに対して緊締ライニング６は所定のフレキシブル性を有する弾性的な材料より製造することができる。これによって、例えば総ガラス製の引き戸１における擦り傷は等の損傷は避けられるか、又は前記緊締領域における少なくとも引っ掻き傷は避けられる。
【００３１】
引き戸１が側方で懸架されていることに基づいて、引き戸１によって、図１の左方向に向かって引き戸１の下端部に作用するトルクが生ぜしめられる。これによる片側で懸架された引き戸１の傾倒を阻止するために、有利な形式で底部ガイド手段が設けられている。
【００３２】
底部ガイド手段は、図１に示した実施例では少なくとも１つのガイドローラ１４を有しており、該ガイドローラ１４は、引き戸１の走行経路に沿って延在する床レール１５内でガイドされている。ガイドローラ１５は、引き戸１を、走行方向に対して直交する方向で、つまり図１の±ｚ座標方向でガイドする。
【００３３】
ガイドローラ１４は、図示の実施例では、引き戸１内に、自由に回転可能に支承され、かつ受容されている。図面で分かるように、ガイドローラ１４はその中央部１４ａが、図１のｘ座標方向で見て床レール１５に対して有利な形式で間隔を保っている。つまり、ガイドローラ１４は、その中央部１４ａが、床レールの走行面上で転動していない。
【００３４】
てこ作用に基づいて、床ガイド手段は、引き戸１の質量に基づいて生ぜしめられた、ローラ７の領域内に伝わるトルクの一部を吸収するだけである。従って、この床ガイド手段には、ローラ７のための材料よりも軽量な材料を使用することができる。
【００３５】
選択的に又は付加的に少なくとも１つのガイドローラ１４が引き戸１に関連してばね弾性的に支承されている。これによって、引き戸１の走行経路における非扁平性が補償されるようになっている。またこれによって、引き戸１及び所属のスライディングキャリッジ２の質量の一部がガイドローラ１４によって吸収され、ひいては、ローラ７及び所属のガイドレール８の負荷軽減が得られるようになっている。これによってコスト的な利点が得られる。何故ならば、ガイドレール８の長手方向に対して直交する横方向のガイドレール８の寸法を小さくすることができるので、強度に対する要求が低いことに基づいて安価な材料及び／又は少量の材料が使用されるからである。
【００３６】
図２に示した本発明の第２実施例においては、スライディングキャリッジ２が２つの部分より構成されている。２つの部分のうちの上部は、少なくとも１つのローラ７を支承するために設けられており、下部は、引き戸１を緊締及び保持するために設けられている。スライディングキャリッジ２の両方の部分は、有利な形式であり継ぎガイド（Schwalbenschwanzfuehrugn）によって互いに嵌め込まれている。懸架された引き戸１の質量によって、スライディングキャリッジ２の２つの部分が互いに摺動することは阻止される。付加的に、２つの部分間で高い付着力を生ぜしめる表面を設けてもよい。
【００３７】
スライディングキャリッジ２の２つの部分は勿論、それぞれ別の固定形式によって、例えば固定ねじを用いて互いに固定してもよい。
【００３８】
図１に示した実施例とは異なり、ねじ４は緊締顎５に支持されておらず、スライディングキャリッジ２内の雌ねじ山にねじ込まれてもいない。ねじ４は、緊締顎５に形成された雌ねじ山にねじ込まれている。ねじ４のねじ頭は、スライディングキャリッジ２の所属の脚部の、緊締顎５に向いた面に支えられているので、ねじ４の回転時に、スライディングキャリッジ２に関連したねじ４の位置が維持される。ねじ４を回転させると、ねじ４は緊締顎内にねじ込まれるか、若しくは緊締顎からねじ外され、これによって、緊締顎の相応の並進（平行移動）運動、つまり引き戸１から離れる方向若しくは引き戸１に近づく方向の並進運動が生ぜしめられる。有利な形式で、脚部は、ねじ４のねじ頭が少なくとも部分的に受容されていて、切欠内で自由に回転せしめられるように、構成されている。
【００３９】
少なくとも１つのガイドローラ１４が、スライディングキャリッジ２′内に自由に回転可能に収容されており、該スライディングキャリッジ２′は、引き戸１の下部に有利な形式で緊締されている。このような緊締保持部は、大きい保持力を必要としないので、調節ねじは省くことができる。このような緊締保持部による保持力は最小でも、スライディングキャリッジ２′が、引き戸１に関連したその位置を変えない程度の大きさである。スライディングキャリッジ２′は有利な形式で横断面がＵ字形に構成されており、この場合、Ｕ字は上方に向かって開放している。引き戸１との接触若しくは緊締領域にそれぞれ１つの緊締ライニング６′が設けられている。
【００４０】
この実施例では、床レール１５にガイドライニング１８が設けられており、このガイドライニング１８は、少なくとも１つのガイドローラ１４の中央部１４ａの側面に当接していて、有利な形式で滑動し易い材料より形成されている。
【００４１】
図３に示した本発明の第３実施例による吊り下げ装置においては、スライディングキャリッジ２は、図３に示した少なくも１つのローラ７の垂直中心線が、引き戸１の垂直中心線と合致するように（図３に一点鎖線で示されている）、構成されている。これによって、引き戸１は、ローラの領域内において、引き戸１の走行路に対して平行な軸線を中心したトルクをまったく生ぜしめることがないか、又は殆ど生ぜしめることがない。
【００４２】
スライディングキャリッジ２′は、本発明の第２実施例と同様にＵ字形横断面を有しているが、この第３実施例においてはＵ字は下方に、つまり床レール１５に向かって開放して構成されている。スライディングキャリッジ２′は引き戸１に、接着又はその他の固定手段、例えば係止又は固定ねじによって定置に取り付けられている。
【００４３】
図４に示した本発明の第４実施例によれば、ねじ４は、該ねじ４のねじ頭の、緊締顎５側に向いた面で以て、スライディングキャリッジ２の脚部の、外方に向いた側に支えられている。スライディングキャリッジ２の脚部の、前記外方に向いた側とは反対側の、内方に向いた側に固定部が設けられており、この固定部はねじ４が脚部から脱落するのを阻止する。有利な形式で前記固定部はスナップリング２０として構成されている。スナップリング２０は、ねじ４の外周面に形成された溝１９内に嵌め込まれている。
【００４４】
スライディングキャリッジ２′は、有利な形式で、引き戸１の幅よりも小さい幅を有している。床レール１５は側方に２つの脚を有しており、これらの脚は、引き戸１に向かって延在している。床レール１５の幅は、有利には引き戸１の幅に相当しているので、脚のそれぞれの側面は、引き戸１の走行方向で見て引き戸１の側面と同一面を成している。有利な形式で、脚の、引き戸１に向いた側の端面には、それぞれ例えば図示していないブラシの形状のシールが設けられており、このシールは、床レール１５内に汚れが侵入しにくくするためのものである。
【００４５】
スライディングキャリッジ２は、ローラ７の領域内で横断面が横Ｕ字形に構成されており、この場合、Ｕ字形はローラ７に向かって開放している。Ｕ字の内室は、図示していないガイドレール８のために大きいスペースを提供する。
【００４６】
図５は、本発明の第５実施例による吊り下げ装置を示す。ねじ４のねじ頭は、図５によれば、スライディングキャリッジ２の一方の脚に形成された切欠内に受容されている。この切欠は、有利な形式で、円形の貫通開口を有しており、この貫通開口は、ねじ４のねじ頭が該貫通開口内で自由に回転せしめられる大きさの直径を有している。図５の右側に示された第１の固定部１１が、スナップリングとして働く。第１の固定部１１は２つの半部１１ａ，１１ａより成っており、これらの半部は、互いに向き合った側で貫通開口のそれぞれ一部を有している。２つの半部１１ａ，１１ａが組み合わされると、ねじ４の溝１９に対して相補的に構成された貫通開口が得られる。これによってねじ４は、第１の固定部１１が組み付けられた場合に、スライディングキャリッジ２内に確実に保持され、外れないようになっている。
【００４７】
半部１１ａ，１１ａは、±ｚ座標方向で見て、円形の外側輪郭を有している。これらの半部１１ａ，１１ａは、雌ねじ山を備えたスリーブを有している。スライディングキャリッジ２は切欠を有しており、この切欠は、組み合わされた２つの半部１１ａ，１１ａの外側輪郭に対して相補的な内側輪郭を有している。
【００４８】
スライディングキャリッジ２の脚部の外側で、有利には脚に形成された切欠内に、第２の固定部１１が嵌め込まれている。
【００４９】
第２の固定部１１は中央に、スライディングキャリッジ２の脚部に形成された貫通開口と類似の貫通開口を有しているので、ねじ４は、この貫通開口内でも自由に回転可能に配置されている。
【００５０】
第２の固定部１１並びにスライディングキャリッジ２の脚部は、貫通開口を有しており、これらの貫通開口は、固定部１１，１１を組み付けた状態で、固定部１１，１１の半部１１ａ，１１ａのそれぞれのスリーブと合致するように、構成されている。固定ねじ１２は、第２の固定部１１及び脚部の貫通開口を通って、それぞれの半部１１ａのスリーブに堅固にねじ結合される。これによって、簡単な組立が可能である。
【００５１】
第２の固定部１１は省いてもよい。この場合、スライディングキャリッジ２の脚は、ねじ４及び固定ねじ１２を取り付けるために必要な形状安定性を有していなければならない。
【００５２】
ねじ４の組み付け後に、ねじ４が簡単に緊締顎５内にねじ込まれ、緊締保持が得られる。
【００５３】
図６には、本発明の第６実施例による吊り下げ装置が示されている。
【００５４】
スライディングキャリッジ２の脚部の、緊締顎５が配置されている側の自由端部に突起部２２が設けられている。この突起２２は、スライディングキャリッジ２の前記脚部からほぼ垂直に、引き戸１に向かって突き出している。前記突起部２２は貫通開口を有しており、この貫通開口は、図６で垂直方向に延びている。ねじ４は、前記突起部２２の外側からこの突起部２２の貫通開口に差し込まれ、当接部２１に形成された雌ねじ山にねじ込まれている。前記突起部２２に向いた側の、ねじ４のねじ頭の面は、有利な形式で前記突起部２２に支えられている。
【００５５】
前記当接部２１は、前記緊締顎５に向いた側に傾斜面を有している。この傾斜面は、当接部２１がねじ頭に向かって次第に先細りするように、ねじ４のねじ頭に向かって傾斜して構成されている。緊締顎５は、当接部２１に面した側に、当接部２１の傾斜面に対して相補的に構成された傾斜面を有している。この傾斜面で以て、当接部２１は、緊締顎５の傾斜面に当接するようになっている。
【００５６】
緊締顎５の下側が、緊締顎５に面した突起部２２の面に支えられている。ねじ４が、当接部２１内にねじ込まれると、当接部２１は図６の下方に向かって移動せしめられる。当接部２１は、その当接面が傾斜していることによって、緊締顎５を引き戸１に向かって押し付け、それによって緊締顎５は引き戸１と緊締係合せしめられるようになっている。
【００５７】
前述のように、引き戸１及び所属のスライディングキャリッジ２の重量は、有利な形式でローラ７及びガイドレール８によって支えられる。従って、図６に示した床ガイド部内に、水平方向に自由に回転可能に配置された少なくとも２つのガイドローラ１４が設けられている。
【００５８】
ガイドローラ１４は、それぞれスライディングキャリッジ２′内に自由に回転可能に支承されていて、有利には横断面が球状の走行面を有している。これによって、ガイドローラ１４が床レール１５内で傾くことは阻止される。
【００５９】
単数若しくは複数のスライディングキャリッジ２′は、引き戸１に例えば接着によって固定されている。
【００６０】
ガイドローラ１４は、床レール１５の、２つの垂直な内側面に支えられている。ガイドローラ１４は、床レール１５の内側面間の間隔よりも少なくともやや小さい最大外径を有している。これによって、ガイドレール１４は確実に、床レール１５の一方の内側面上を転動するようになっている。
【００６１】
床レール１５は有利には横断面Ｕ字形に構成されており、この場合、Ｕ字形の上方に向かって開放している。スライディングキャリッジ２′の脚部の端部領域の、有利には互いに向き合う側に、それぞれブラシ装置１７として構成されたシールが設けられている。このブラシ装置１７は、床レール１５に関連して汚れに対する保護を形成している。
【００６２】
図７は、本発明の第７実施例による吊り下げ装置を示す。この吊り下げ装置においては、支持成形材３は、ガイドレール８があり継ぎガイドによって支持成形材３に嵌め込まれ、少なくとも１つの固定ねじ１２によって位置固定されるように、構成されている。ガイドレール８と支持成形材３とが一体的に構成されていてもよい。
【００６３】
ガイドレール８はさらに、ガイド部１０を有しており、このガイド部１０は、引き戸１の傾きを阻止する。ガイドレール８が十分な形状安定性を有していれば、床ガイドは省くことができる。
【００６４】
図８は、本発明の第８実施例による吊り下げ装置を示す。この実施例の傾斜面は、前記第７実施例の傾斜面に対して鏡面対称的に配置されている。つまり、緊締顎５の傾斜面は、緊締顎５がねじ４のねじ頭に向かって次第に先細りするように、ねじ４のねじ頭に向かって傾斜して構成されている。
【００６５】
緊締顎５は、側方で有利にはそれぞれ１つのガイド突起２３を有している。特に図８Ｂに分かりやすく示されているように、ガイド突起２３は、緊締顎５の幅の広い方の端面の一方の側縁から、緊締顎５の狭い端面側に向かって延在している。ガイド突起２３は有利な形式で、ガイド突起２３の側縁から、緊締顎５の狭い端面側に向かって横断面が次第に増大している。この横断面の増大は直線的であるので、ガイド突起は傾斜路の形状を有している。
【００６６】
選択的に、各ガイド突起２３は、図８Ｂ及び図８Ｃに示されているように、湾曲した形状を有している。ガイド突起２３と緊締顎５とは、スライディングキャリッジ２の側壁区分２５に形成されたガイド溝２４で係合している。
【００６７】
図８Ｂには、スライディングキャリッジ８の２つの側壁区分２５のうちの１つが示されている。ガイド溝２４は、垂直に、つまり図８Ｂで見て±ｙ座標方向に延びている。ガイド溝２４は、それぞれ全長に亘って有利な一定の深さを有している。複数のガイド溝２４の長さは、有利な形式で同じであり、それぞれ対応するガイド突起２３の長さよりも長い。これによって、緊締顎５は、ガイド溝２４内で所定の程度だけ移動する。
【００６８】
ガイド溝２４は、所属の側壁区分２４のそれぞれの内面の全長に亘って形成されてはいない。図８Ｂによれば、ガイド溝２４は、所属の側壁区分２５のそれぞれの内面の前縁部の後ろで終わっている。ガイド突起２３は、緊締顎５の終端位置において、図８のｘ−ｙ座標方向に向いた端面で以て、所属のガイド溝２５の、緊締顎５に向いた内側面に当接している。これによって、このガイド溝２５の内側面は、緊締顎５の運動路をｙ座標方向で、つまり図８Ａ及び図８Ｃの下方に向かって制限する。これによって、緊締顎５が脱落することは確実に避けられる。
【００６９】
有利な形式で、各緊締顎５は、上方に向いた端面で以てばね部材１３に支えられており、このばね部材１３自体は、スライディングキャリッジ２の、下方に向いた内側面に支えられている。特に図８Ｃに示されているように、ばね部材は、有利には長孔形の貫通開口として構成された切欠を有している。緊締顎５は、前記ばね部材１３に向いた側に、ばね部材１３の切欠に対して相補的な差込部を有している。この差込部は、有利な形式で、ばね部材１３が差込部に被せ嵌められる際に、この差込部と緊締係合せしめられるように寸法設計されている。
【００７０】
この場合、床ガイド部は、スライディングキャリッジ２′を有しており、このスライディングキャリッジ２′は、図８Ａに示したスライディングキャリッジ２とほぼ同じである。従って、このスライディングキャリッジ２′は緊締顎５′を有しており、この緊締顎５′は、有利な形式でガイド突起２３′を備え、かつばね部材２３′によってばね弾性的に支承されている。ローラ７を受容するための部分が省かれているだけである。その代わり、ガイドローラ１４は、スライディングキャリッジ２′を基準として自由に回転可能に配置されている。有利な形式で、ガイドローラ１４は、このガイドローラ１４の一方の部分が、床レール１５の垂直方向に延在する内側面上を転動し、ガイドローラ１４の他方の部分が、床レール１５の内側面に向き合う、同様に床レール１５の垂直に延びる他方の内側面上を転動するように、配置されている。
【００７１】
床レール１５は、その脚部の両端部に、引き戸１に向かってそれぞれ１つのシール挿入体１６のシールを有している。シール挿入体は、例えば発泡剤によって形成されていてよい。
【００７２】
ガイドローラ１４は、床レール１５の内側面に有利な形式でプリロード（予備荷重）をかけられて支持されている。つまり、ガイドローラ１４は、嵌め込まれていない状態で、床レール１４の両内側間の互いの間隔よりもやや大きい幅を有している。これによって、スライディングキャリッジ２′は、床レール１５内に嵌め込まれた状態で緊締されているので、スライディングキャリッジ２′は、図８Ａの±ｚ座標方向で確実に位置保持されている。
【００７３】
図示のスライディングキャリッジ２並びに床ガイドは、互いに交換可能であるか又は互いに組合せ可能である。
【００７４】
さらに、各スライディングキャリッジ２は、スライディングキャリッジ２′として使用することができる。この場合、ローラ７を受容するための区分だけが省かれている。逆も可能である。つまり、スライディングキャリッジ２′をスライディングキャリッジ２として使用することも可能である。
【００７５】
非ばね弾性的に支承されていると記載された前記緊締顎５に、ばね支承部を設けてもよい。
【００７６】
この実施例の吊り下げ装置は、どのような形式のリニア駆動装置を備えていてもよい。例えば、引っ張り手段に基づく駆動装置を設けてもよい。この場合、スライディングキャリッジ２は、引っ張り部材（ロープ、引っ張りベルト、チェーン又はこれと類似のものであってよい）を備えた連行部材として機能する。リニア駆動装置としてのスピンドル駆動装置においては、１つ又は複数のスライディングキャリッジ２がねじ山付きスリーブを有していてよい。このねじ山付きスリーブは、スピンドル駆動装置の駆動・ねじ山付きスピンドルにねじ付けられる。リニア駆動装置としてのリニアモータにおいては、少なくとも１つのスライディングキャリッジが磁石列を備えているので、このスライディングキャリッジ２は同時にリニアモータの可動子を形成する。選択的に、少なくとも１つのスライディングキャリッジ２が、リニアモータの別個に構成された可動子と作用結合されている。
【符号の説明】
【００７７】
１  引き戸、  ２，２′  スライディングキャリッジ、  ３  支持成形材、  ４  調節ねじ、  ５  緊締顎、  ６，６′  緊締ライニング、  ７  ローラ、  ８  ガイドレール、  ９  走行面、  １０  支持部、ガイド部、  １１  固定部、  １１ａ，１１ａ′  固定部の半部、  １２  固定ねじ、  １３，１３′  ばねエレメント、  １４  ガイドローラ、  １４ａ  ガイドローラ１４ａの中央部、  １５  床レール、  １６  シール挿入体、  １７  ブラシ装置、  １８  ガイドライニング、  １９  溝、  ２０  スナップリング、  ２１  当接部、  ２２  突起部、  ２３，２３′  ガイド突起、  ２４  ガイド溝、  ２５  側壁区分（スライディングキャリッジ２の）
【図１】
0005425073.tif 000002
【図２】
0005425073.tif 000003
【図３】
0005425073.tif 000004
【図４】
0005425073.tif 000005
【図５】
0005425073.tif 000006
【図６】
0005425073.tif 000007
【図７】
0005425073.tif 000008
【図８Ａ】
0005425073.tif 000009
【図８Ｂ】
0005425073.tif 000010
【図８Ｃ】
0005425073.tif 000011